(57)【要約】【目的】選択処理が継続している場合にはユーザが行った操作を無駄にせず、選択処理が継続していない場合には前回の保存情報を用いることなくユーザの思わぬ失敗を減らすことができる画像処理装置を提供すること。【構成】複数の画像を選択する画像選択手段と、前記画像選択手段での画像選択が継続状態かどうかを判断する選択継続状態判断手段と、前記選択継続状態判断手段から連携データを出力する連携データ出力手段とを備える画像管理手段と、前記連携データを入力する連携データ入力手段と、複数の画像に対する印刷枚数設定情報を入出力する印刷枚数設定情報入出力手段と、前記連携データと上記印刷枚数設定情報を用いて連携データ中の複数の画像の印刷枚数設定を行う印刷枚数設定手段とを含んで画像処理装置を構成する。【選択図】　　　図１
2004086448.tif 000002
【特許請求の範囲】
【請求項１】
画像を管理・印刷する画像処理装置であって、
複数の画像を選択する画像選択手段と、前記画像選択手段での画像選択が継続状態かどうかを判断する選択継続状態判断手段と、前記選択継続状態判断手段から連携データを出力する連携データ出力手段とを備える画像管理手段と、前記連携データを入力する連携データ入力手段と、複数の画像に対する印刷枚数設定情報を入出力する印刷枚数設定情報入出力手段と、前記連携データと上記印刷枚数設定情報を用いて連携データ中の複数の画像の印刷枚数設定を行う印刷枚数設定手段とを備える画像印刷手段を備えることを特徴とする画像処理装置。
【請求項２】
前記選択継続状態判断手段は、キーボードの特定のキーを押しながら上記画像選択手段が行われたときは継続と判断することを特徴とする請求項１記載の画像処理装置。
【請求項３】
前記選択継続状態判断手段は、マウスの特定のボタンを押しながら上記画像選択手段が行われたときは継続と判断することを特徴とする請求項１記載の画像処理装置。
【請求項４】
前記選択継続状態判断手段は、キーボードとマウスの特定のボタンの何れかを押しながら前記画像選択手段が行われたときは継続と判断することを特徴とする請求項１記載の画像処理装置。
【請求項５】
前記選択継続状態判断手段は、キーボードの特定のキーとマウスの特定のボタンの両方を押しながら前記画像選択手段が行われたときは継続と判断することを特徴とする請求項１記載の画像処理装置。
【請求項６】
前記連携データは、テキストデータで出力することを特徴とする請求項１記載の画像処理装置。
【請求項７】
前記連携データは、ＸＭＬファイルであることを特徴とする請求項１記載の画像処理装置。
【請求項８】
前記連携データは、ＨＴＭＬファイルであることを特徴とする請求項１記載の画像処理装置。
【請求項９】
前記連携データは、ＳＧＭＬファイルであることを特徴とする請求項１記載の画像処理装置。
【請求項１０】
前記連携データは、バイナリファイルであることを特徴とする請求項１記載の画像処理装置。
【請求項１１】
前記連携データは、複数の画像データの所在を記録することを特徴とする請求項１記載の画像処理装置。
【請求項１２】
前記連携データは、複数の画像データの所在と選択継続状態として日時情報を記録することを特徴とする請求項１記載の画像処理装置。
【請求項１３】
前記印刷枚数設定情報は、テキストファイルであることを特徴とする請求項１記載の画像処理装置。
【請求項１４】
前記印刷枚数設定情報は、ＸＭＬファイルであることを特徴とする請求項１記載の画像処理装置。
【請求項１５】
前記印刷枚数設定情報は、ＨＴＭＬファイルであることを特徴とする請求項１記載の画像処理装置。
【請求項１６】
前記印刷枚数設定情報は、ＳＧＭＬファイルであることを特徴とする請求項１記載の画像処理装置。
【請求項１７】
前記印刷枚数設定情報は、バイナリファイルであることを特徴とする請求項１記載の画像処理装置。
【請求項１８】
前記印刷枚数設定情報は、複数の画像データの所在を記録することを特徴とする請求項１記載の画像処理装置。
【請求項１９】
前記印刷枚数設定情報は、複数の画像データの所在と印刷枚数設定を記録することを特徴とする請求項１記載の画像処理装置。
【請求項２０】
前記印刷枚数切り替え手段は、前記連携データに含まれる日時情報と前記印刷枚数設定情報に含まれる日時情報が同じときには印刷枚数設定情報を有効にすることを特徴とする請求項１記載の画像処理装置。
【請求項２１】
前記印刷枚数切り替え手段は、前記連携データに含まれる日時情報と前記印刷枚数設定情報に含まれる日時情報が違うときには印刷枚数設定情報を有効にしないことを特徴とする請求項１記載の画像処理装置。
【請求項２２】
前記連携データは、ＸＭＬ形式で画像の論理的なグループも記述できることを特徴とする請求項７記載の画像処理装置。
【請求項２３】
上記連携データは、ＸＭＬ形式で画像の論理的なグループも記述できることを特徴とする請求項７記載の画像処理装置。
【発明の詳細な説明】
【０００１】
【発明の属する技術分野】
本発明は、デジタル画像を選択する画像管理装置やデジタル画像の枚数を指定して印刷する画像処理装置に関するものである。
【０００２】
【従来の技術】
現在、デジタルカメラの普及とともに、撮影したデジタル写真をパソコン等を使って管理し、家庭内のプリンタを使って様々な形態で印刷されている。又、市場にはこれらの要求に応えるべく、多くのデジタル画像管理・印刷ソフト等が出回っている。従って、ユーザは自らの要求に応じてそれぞれのソフトウェアを手に入れ、画像管理・印刷を行っている。
【０００３】
【発明が解決しようとする課題】
ここで、画像の管理は画像管理装置、画像の印刷は画像印刷用装置を用いている場合、画像管理装置で管理している画像を印刷するためには、先ず、画像管理装置で印刷したい画像を抽出した後に、画像印刷装置を用いて画像の枚数を指定して印刷することが必要であった。
しかしながら、画像印刷装置で枚数を指定した後に画像管理装置で枚数を増加しようとした場合、それまで画像印刷装置で指定した枚数が全てなくなってしまうという問題があった。
又、画像印刷装置で一度でも枚数を指定した場合、その枚数の設定がいつまでも残っており、一度３０枚と指定すると、次にその画像を印刷しようとした場合には３０枚となってしまうという問題もあった。
本発明は上記問題に鑑みてなされたもので、その目的とする処は、選択処理が継続している場合にはユーザが行った操作を無駄にせず、選択処理が継続していない場合には前回の保存情報を用いることなくユーザの思わぬ失敗を減らすことができる画像処理装置を提供することにある。
【０００４】
【課題を解決するための手段】
上記目的を達成するため、本発明は、複数の画像を選択する画像選択手段と、前記画像選択手段での画像選択が継続状態かどうかを判断する選択継続状態判断手段と、前記選択継続状態判断手段から連携データを出力する連携データ出力手段とを備える画像管理手段と、前記連携データを入力する連携データ入力手段と、複数の画像に対する印刷枚数設定情報を入出力する印刷枚数設定情報入出力手段と、前記連携データと上記印刷枚数設定情報を用いて連携データ中の複数の画像の印刷枚数設定を行う印刷枚数設定手段とを備える画像印刷手段を含んで画像処理装置を構成したことを特徴とする。
【０００５】
【発明の実施の形態】
以下に本発明の実施の形態を添付図面に基づいて説明する。
【０００６】
＜実施の形態１＞
以下、図面を用いて本発明を具体的に説明する。
【０００７】
図１は本実施の形態を実現するシステムの概略を示した図である。ＣＰＵ１０１は、システム全体の動作をコントロールし、一次記憶１０２に格納されたプログラムの実行等を行う。一次記憶１０２は、主にメモリであり、二次記憶１０３に記憶されたプログラム等を読み込んで格納する。このプログラムには、下記の画像処理方法をコンピュータが実行するためのプログラムが格納されており、このプログラムを二次記憶１０３（例えばハードディスク等）から、一次記憶１０２に読み出し、ＣＰＵ１０１がこれを実行することにより、コンピュータは本発明を実施する画像処理装置として機能する。
【０００８】
一般に、一次記憶の容量は二次記憶の容量より小さく、一次記憶に格納し切れないプログラムやデータ等は二次記憶に格納される。又、長時間記憶しなくてはならないデータ等も二次記憶に格納される。本実施の形態では、プログラムを二次記憶１０３に格納し、プログラム実行時に一次記憶１０２に読み込んでＣＰＵ１０１が実行処理を行う。
【０００９】
入力デバイス１０４とは、例えばマウスやキーボード等がこれに該当する。プログラム等に割り込み信号を送ったりするために用いる。出力デバイス１０５とは、例えばモニタやプリンタ等が考えられる。この装置では、印刷装置としての性格上、少なくともプリンタを必須とするが、画像の出力装置としてプリンタ以外の装置であっても構わないことは言うまでもない。又、この装置の構成方法は他にも様々な形態が考えられるが、本発明の主眼ではないので説明を省略する。
【００１０】
先ず、本実施の形態における画像管理装置の概要について説明する。
【００１１】
本実施の形態で説明する画像管理装置は、ＧＵＩにより、フォルダの選択、画像の選択・解除・表示を行う。
【００１２】
以下、図面を用いて上記の機能について説明する。
【００１３】
図２は本実施の形態における画像管理装置の操作手順の基本的な流れを示すフローチャートである。
【００１４】
先ず、ステップＳ２０１で画像管理装置から印刷対象とする画像を選択する。次に、ステップＳ２０２で画像管理装置の印刷ボタンを押し、ステップＳ２０３で画像印刷装置を起動する。以下、図面を用いて各ステップにおける操作の実現例について述べる。
図３は本実施の形態における画像管理装置の画像指定画面の概要を示す図であ
る。
【００１５】
フォルダツリーウィンドウ３０１には、画像管理装置が構築した画像データベース内のディレクトリを示すツリーを表示する。又、フォルダ表示ウィンドウ３０２は、フォルダツリーウィンドウ３０１と同じものを表しており、フォルダ内部の画像も同時に表示している。
【００１６】
ユーザは、選択モードボタン３０３を押して選択モードにした後にフォルダ表示ウィンドウ３０２から画像をクリックして選択することができる。複数の画像を選択したい場合には、Ｓｈｉｆｔ　キー或はＣｔｒｌキーを押しながらクリックすることで可能になる。Ｓｈｉｆｔ　キーを押すことによって、１つのフォルダ内部の始点と終点を指定して複数の画像を指定することも可能である。以上のように選択した後に印刷ボタン３０４を押して画像印刷装置に選択した画像の情報を受け渡す。
【００１７】
画像管理装置にはその他に多くの機能があるが、本発明の主眼ではないのでその説明は省略する。
【００１８】
このとき、画像管理装置で選択した画像の情報を受け渡す連携ファイルの作成方法について図４のフローチャートに基づいて説明する。
【００１９】
画像管理装置で印刷ボタンを押すと、ステップＳ４０１において、先ず既に連携ファイルが存在しているかどうかを判断する。もし、存在していた場合には、ステップＳ４０２において、連携ファイル内に記述されている日時が、現在起動している画像管理装置の起動日時よりも後になっているかどうかを判断する。もしここで連携ファイルに記述されている日時が起動日時以降の場合は、ステップＳ４０３に進み、Ｓｈｉｆｔ　キーかＣｔｒｌキーが押されながら画像が選択されたかどうかを判断する。ここで、Ｓｈｉｆｔ　キーかＣｔｒｌキーが押されながら画像が選択された場合には、画像管理装置と画像印刷装置とで選択処理のやり取りが継続していると判断して、ステップＳ４０４に進む。
【００２０】
ステップＳ４０４においては、受け渡された連携ファイルの日時をこれから作成する連携ファイルに書き込む。一方、ステップＳ４０１，Ｓ４０２，Ｓ４０３において、Ｎｏと判断された場合は、選択処理のやり取りが継続していないと判断し、ステップＳ４０５に進む。ステップＳ４０５においては、現在の日時をこれから作成する連携ファイルに書き込む。
【００２１】
その後、ステップＳ４０６において、選択した全ての画像のファイル名をフルパスでこれから作成する連携ファイルに書き込む。
【００２２】
以上のようにして、連携ファイルを作成する。このときに連携ファイルが既に存在していた場合にはそのファイルに連携ファイルを上書きする。
【００２３】
次に、連携ファイルを指定して画像印刷装置を起動する。
【００２４】
本実施の形態で説明する画像印刷装置は、先ず、連携ファイルと保存ファイルから選択処理が継続的なものかを判断する。その後にＧＵＩにより画像の枚数指定、プリンタ・用紙の選択、レイアウトの選択・印刷を行う。
以下、図面を用いて上記のフローについて説明する。
【００２５】
図５は本実施の形態による印刷装置の操作手順の基本的な流れを示すフローチャートである。
【００２６】
先ず、ステップＳ５０１で選択状態が継続的なものかを判断する。次に、ステップＳ５０２で印刷対象となる画像の枚数を設定する。次に、ステップＳ５０３で出力先のプリンタと印刷用紙を選択する。最後に、ステップＳ５０４でレイアウトを決定し印刷する。簡易編集は、ステップＳ５０４の画面に用意されたボタンを押下することで編集画面に移動して行う。編集後はステップＳ５０４の画面に復帰する。
【００２７】
以下、図面を用いて各ステップにおける操作の実現例について述べる。
【００２８】
先ず、画像印刷装置は画像の枚数等の設定を保存してある設定ファイルと連携ファイルとを比較して、設定保存ファイルの状態を有効にすべきかを判定する動作について図６のフローチャートを用いて詳しく説明する。
【００２９】
先ず、ステップＳ６０１において、画像印刷装置は設定ファイルがあるかどうかを確認する。画像印刷装置が最初に起動する場合には、この設定ファイルは存在しない。設定ファイルの保存方法については後に図１２で説明する。
【００３０】
ステップＳ６０１で設定ファイルがある場合には、ステップＳ６０２に進み、連携ファイルに書かれている日時と設定ファイルに書かれている日時を比較する。もし、この日時が同じであった場合にはＳ６０３に進み、選択状態が継続していると判断する。
【００３１】
一方、ステップＳ６０１，Ｓ６０２でＮｏと判断された場合には、ステップＳ６０６に進み、選択状態が継続していないと判断し、連携ファイルに記述してある全ての画像ファイルの枚数設定を“１”とする。
【００３２】
選択状態が継続していると判断され、ステップＳ６０３に進んだ場合は、連携ファイル中の１つの画像ファイル名は設定ファイルに保存してあるかを判断する。ここで、もし存在するならばステップＳ６０４に進み、設定ファイルに記述してある印刷枚数が有効であると判断して、設定ファイルに記述してある印刷枚数を、その画像ファイルの印刷枚数として設定する。ステップＳ６０３において存在しない場合には、ステップＳ６０５に進み、その画像ファイル印刷枚数を１枚と設定する。
【００３３】
上記ステップＳ６０３〜Ｓ６０５までの処理を全ての画像について行うことによって（ステップＳ６０７）、連携ファイルに書かれている全ての画像ファイルについての印刷枚数を設定することができる。
図７は印刷枚数選択の画面の概要を示す図である。
【００３４】
画像印刷装置は画像管理装置で選択された画像ファイルのサムネイル画像（縮小画像）をサムネイル表示ウィンドウ７１０に表示する。このとき、図６のフローチャートの処理により、画像の印刷枚数が設定される。
サムネイル表示ウィンドウ上で画像を選択した状態で拡大表示ボタン７０５を押下された場合、図１０に示す拡大表示ウィンドウを表示する。拡大表示ウィンドウにより、選択対象となる画像を詳細に確認することができる。拡大表示ウィンドウの決定ボタン７０２を押下された場合、拡大表示ウィンドウを閉じる。
本実施の形態では、枚数選択を枚数選択ボタン７０２で行う。枚数選択ボタンはシーソースイッチになっており、枚数選択ボタン７０２の右が押下された場合、枚数選択ボタン中央に表示された印刷指定枚数を＋１する。枚数選択ボタン７０２の左が押下された場合、印刷指定枚数を−１する。印刷指定枚数が０になった場合、枚数選択ボタンの左を無効にする。又、印刷指定枚数が９９になった場合、枚数選択ボタンの右を無効にする。
全選択ボタン３０７が押下された場合、サムネイル表示ウィンドウに表示してある全ての画像を１枚ずつ印刷指定した状態にする。又、全解除ボタン７０８が押下された場合、全ての画像の印刷指定を解除する。選択画像決定ボタン７０６が押下された場合、印刷対象メディア指定画面へ進む。画像再選択ボタン７１１が押された場合には、画像の枚数等を設定ファイルに保存し、画像印刷装置を終了し、画像管理装置に戻る。
【００３５】
このときの設定ファイルの保存方法について図１２を用いて説明する。
【００３６】
ステップＳ１２０１において、連携ファイルに記述された日時を日時情報として設定ファイルに記述する。次に、ステップＳ１２０２において、連携ファイルに記述された画像ファイルの印刷枚数が１枚以上に設定されているかを判断する。１枚以上に設定されていれば、ステップＳ１２０３において、その画像ファイル名を設定ファイルに記述する。更に、ステップＳ１１２０４において、その設定された印刷枚数を設定ファイルに記述する。もし、１枚以上に設定されていなければ、その画像ファイル名は設定ファイルに記述されない。
以上のステップＳ１２０２〜Ｓ１２０４までの操作を連携ファイルに記述されている全ての画像について行い（ステップＳ１２０５）、設定ファイルを保存し画像印刷装置を終了する。この設定ファイルを保存する動作は、画像印刷装置が終了するときは、全ての場合に行われ、印刷をした後にも行われる。
図８は本実施の形態における印刷対象メディア指定画面の概要を示す図である
。
【００３７】
プリンタ選択メニュー８０６は、出力先となるプリンタを選択するメニューである。本実施の形態におけるプリンタ選択メニューは、プルダウンメニューであり、印刷装置に接続されているプリンタを一覧表示する。又、プリンタ選択メニューの右にある「ＶＩＶＩＤ　フォト」と書かれたチェックボックスは、プリンタドライバで用意された特殊処理を適用するかどうかを指定するチェックボックスである。プリンタ選択メニューで選択されたプリンタで「ＶＩＶＩＤ　フォト」機能が有効である場合のみ、このチェックボックスが有効になる。本実施の形態ではプリンタドライバで提供される特殊処理の一例としてＶＩＶＩＤ　フォト機能を挙げたが、他の処理であっても問題ないことは言うまでもない。
プリンタ選択メニューで選択されている出力先プリンタの機種に応じて、印刷サイズ選択ウィンドウ８０８、用紙種類選択ウィンドウ８０７に表示される選択肢を適切なものに制限する。このように選択肢を制限することで、ユーザはプリンタとその対応用紙などを意識することなく印刷指定を行うことができる。更に、印刷サイズ選択ウィンドウにおいて選択された用紙サイズに応じて、用紙種類選択ウィンドウに表示される用紙の選択肢を制限する。従って、出力先プリンタが変更されるたび、印刷サイズ選択ウィンドウ、用紙種類選択ウィンドウの状態を更新する。又、用紙サイズが変更されるたび、用紙選択ウィンドウの状態を更新する。
印刷対象メディア決定ボタン８０４若しくは用紙選択タブ８０２が押下された場合には印刷対象画像指定画面へ、画像再選択ボタン８０５若しくは印刷タブ８０３が押下された場合にはレイアウト指定画面へそれぞれ移動する。
又、印刷装置の初回使用時にはリストの一番先頭の選択肢、２回目以降の起動においては最後にユーザが選択した選択肢を予め選択した状態にする。
図９は本実施の形態におけるレイアウト選択画面の概要を示す図である。
本実施の形態によるレイアウト指定画面では、印刷対象画像指定画面と印刷対象メディア指定画面で指定された印刷対象画像と印刷対象メディアに応じたレイアウトをレイアウト選択ウィンドウ９０７に表示し、レイアウト選択ウィンドウで選択されたレイアウトに応じて印刷リストウィンドウ９０８に印刷プレビュー一覧を表示し、印刷リストウィンドウで選択したページのプレビューを印刷プレビューウィンドウ９０９に表示する。
ユーザはレイアウト選択ウィンドウに表示されたレイアウトを任意に選択することができる。選択されたレイアウトが変更された場合、印刷リストウィンドウ、印刷プレビューウィンドウの情報を更新する。印刷プレビューウィンドウに表示されるページは、プレビュー選択ウィンドウによって選択された画像を含むページを表示する。レイアウト指定画面の初期状態では、印刷対象画像の先頭の画像がプレビュー選択ウィンドウによって選択された状態にする。
レイアウト指定画面でも印刷対象メディア指定画面と同様に、直前に起動した時に指定された印刷対象メディアと同じ印刷対象メディアが選択されている場合には、レイアウトも直前に起動・選択されたレイアウトを初期状態とする。
印刷プレビューウィンドウに表示するプレビュー画像はマウス等を用いて選択操作することが可能であり、このように選択した画像はプレビュー選択ウィンドウ９１０により枠付き表示しておく。ユーザは、編集ボタン９０６を押下することにより図１１に示す編集画面に移動し、プレビュー選択ウィンドウによって選択されている画像を簡易編集することができる。簡易編集画面の概要については後述する。
又、回転ボタン９０５が押下された場合、押されたボタンに応じて右若しくは左に９０度回転する。回転の中心点として、印刷プレビューウィンドウに表示されている領域の中心とできるだけ近い点を選択する。又、初期状態では画像のアスペクト比を保ったまま、画像を印刷領域に外接させる。つまり、印刷領域に余白ができないように画像を配置する。対象となる画像を印刷領域に内接させるか外接させるかは、ユーザが指定可能である。
日付印刷ボタン９０４が押下された場合、印刷リストウィンドウ及び印刷プレビューウィンドウの画像に日付表示を追加して表示を更新する。日付印刷ボタンが再度押下された場合、日付表示を解除して表示を更新する。但し、日付印刷ボタンはレイアウトがインデックス印刷に指定されている場合には無効になり、常に日付表示を追加しない。本実施の形態では、インデックス印刷時には日付表示を行わないが、レイアウトの種類に拘らず日付印刷を適用しても構わないことは言うまでもない。
ページ送りボタン９０２は、印刷リストウィンドウ中のカレントページを変更するためのボタンで、このボタンの押下に伴い印刷プレビューウィンドウの表示も更新する。この際、プレビュー選択ウィンドウで選択される画像も、変更後のカレントページの先頭画像に変更する。
用紙再選択ボタンが押下された場合には印刷対象メディア指定画面へ戻る。又、画像選択タブが押下された場合は印刷対象画像選択画面、用紙選択タブを押下された場合は印刷対象メディア選択画面に移動する。
印刷ボタン９０３が押された場合には、全てのデータをプリンタに出力し、全てのデータがプリンタに送信することができると、図１２のフローに従って設定ファイルを保存し、画像印刷装置を終了し、画像管理装置に戻る。
図１１は本実施の形態における簡易編集画面の概要を示す図である。
【００３８】
画像表示ウィンドウ１１０１には、プレビュー選択ウィンドウで選択された画像を表示する。画像表示ウィンドウ内には、印刷対象メディアに応じた縦横比率の矩形をしたトリミング領域表示ウィンド１１０２を表示する。トリミング領域表示ウィンドウは、トリミング後の領域を示している。トリミング領域表示ウィンドウは、マウス等のポインティングデバイスによりサイズ・位置を変更できる。
図１１中のトリミング領域表示ウィンドウは２重の矩形の枠になっている。プリンタによっては画像の指定領域全てを印刷できないので、若干はみ出して印刷することでフチ無し印刷を実現することがある。このような場合、トリミング領域と実際に印刷される領域が異なる。図１１の２重の枠は、外側の枠がトリミング領域、内側の枠が実際に印刷される領域を示す。フチ無し印刷ではない場合や、はみ出して印刷しない場合等で、トリミング領域と実際に印刷される領域が一致する場合には、２重の枠ではなく１つの矩形を用いてトリミング領域を表示する。
決定ボタン１１０３が押下された場合には、印刷プレビューウィンドウ及び印刷リストウィンドウに表示されるプレビュー画像をトリミング結果に基づいて更新し、プリンタへの出力に反映する。キャンセルボタン１１０４を押下された場合には、何も変更を適用せずにレイアウト選択画面に戻る。
【００３９】
本実施の形態によって、画像管理装置と画像印刷装置を用いて複数画像の印刷を行う場合、選択状態の継続を判断することによって、継続しているときには保存されていた各画像の印刷枚数情報を用い、継続していないときに印刷枚数の情報を用いないようにできる。
【００４０】
＜実施の形態２＞
次に、本発明の実施の形態２について説明する。
【００４１】
実施の形態１では、連携ファイル及び設定ファイルの記述方式については記述していなかったが、本実施の形態では連携ファイルの記述をＸＭＬファイルで行う。
【００４２】
ＸＭＬファイルの例を図１３に示す。
【００４３】
１３０１は連携ファイルの日時を示し、この日時によって、選択状態が継続しているかを判断する。１３０２は複数の画像ファイルを示している。
【００４４】
本実施の形態のように、ＸＭＬファイルを用いることによって、他の画像印刷装置であっても容易に対応することが可能である。
又、ＸＭＬファイルだけでなく、ＨＴＭＬファイルやＳＧＭＬ等の他のマークアップ言語を用いても構わない。
又、連携ファイルだけでなく設定ファイルもＸＭＬ等のマークアップ言語を用いても構わない。
更に、ＸＭＬで１つのＧｒｏｕｐ　タグとして表現してあるが、Ｇｒｏｕｐ　を複数持っても良い。又、子Ｇｒｏｕｐ　を持って複数の論理的な画像の集合を表現しても良い。
【００４５】
尚、本発明は複数の機器（例えば、ホストコンピュータ、インタフェース機器、リーダ、プリンタ等）から構成されるシステムに適用しても、又は１つの機器（例えば複写機、ファクシミリ装置）から成る装置に適用しても良い。
【００４６】
又、前述した実施の形態の機能を実現するように各種のデバイスを動作させるように該各種デバイスと接続された装置或はシステム内のコンピュータに、前記実施の形態の機能を実現するためのソフトウエアのプログラムコードを供給し、そのシステム或は装置のコンピュータ（ＣＰＵ或はＭＰＵ）を格納されたプログラムに従って前記各種デバイスを動作させることによって実施したものも本願発明の範疇に含まれる。
又、この場合、前記ソフトウエアのプログラムコード自体が前述した実施の形態の機能を実現することになり、そのプログラムコード自体及びそのプログラムコードをコンピュータに供給するための手段、例えば斯かるプログラムコードを格納した記憶媒体は本発明を構成する。
【００４７】
斯かるプログラムコードを格納する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００４８】
又、コンピュータが、供給されたプログラムコードを実行することにより、前述の実施の形態の機能が実現されるだけではなく、そのプログラムコードがコンピュータにおいて稼働しているＯＳ（オペレーティングシステム）、或は他のアプリケーションソフト等と共同して前述の実施の形態の機能が実現される場合にも斯かるプログラムコードは本願発明の実施の形態に含まれることは言うまでもない。
【００４９】
更に、供給されたプログラムコードがコンピュータの機能拡張ボードやコンピュータに接続された機能拡張ユニットに備わるメモリに格納された後、そのプログラムコードの指示に基づいてその機能拡張ボードや機能格納ユニットに備わるＣＰＵ等が実際の処理の一部又は全部を行い、その処理によって前述した実施の形態の機能が実現される場合も本願発明に含まれることは言うまでもない。
【００５０】
【発明の効果】
以上の説明で明らかなように、本発明によれば、画像管理装置で指定した画像を画像印刷装置で印刷する場合に、選択処理が継続している場合には、画像印刷装置で設定した枚数を有効にし、継続していない場合には、画像印刷装置で設定した枚数を無効にするという特徴があり、選択処理が継続している場合にはユーザが行った操作を無駄にせず、又、選択処理が継続していない場合には前回の保存情報を用いることなく、ユーザの思わぬ失敗を減らせるという効果が得られる。
【図面の簡単な説明】
【図１】本発明の実施の形態におけるシステム構成を表す図である。
【図２】本発明の実施の形態１における画像管理装置の画像の選択から画像印刷装置を起動するまでの流れを示すフローチャートである。
【図３】本発明の実施の形態１における画像管理装置の画像選択画面の概要を示す図である。
【図４】本発明の実施の形態１における画像管理装置の選択状態の継続性を判断し、連携ファイルを出力するときのフローチャートである。
【図５】本発明の実施の形態１における画像印刷装置の画像を印刷するまでの流れを示すフローチャートである。
【図６】本発明の実施の形態１における連携ファイルの情報を連携ファイルで渡された画像に反映するためのフローチャートである。
【図７】本発明の実施の形態１における印刷枚数選択画面の概要を示す図である。
【図８】本発明の実施の形態１における出力メディア選択画面の概要を示す図である。
【図９】本発明の実施の形態１におけるレイアウト選択画面の概要を示す図である。
【図１０】本発明の実施の形態１における拡大画面の概要を示す図である。
【図１１】本発明の実施の形態１における画像編集画面の概要を示す図である。
【図１２】本発明の実施の形態１における設定ファイルの保存方法を示すフローチャートである。
【図１３】本発明の実施の形態２における携帯ファイルのＸＭＬ記述の例を示す図である。
【符号の説明】
１０１　　　ＣＰＵ
１０２　　　一次記憶
１０３　　　二次記憶
１０４　　　入力デバイス
１０５　　　出力デバイス
３０１　　　フォルダツリーウィンドウ
３０２　　　フォルダ表示ウィンドウ
３０３　　　選択モードボタン
【図１】
2004086448.tif 000003
【図２】
2004086448.tif 000004
【図３】
2004086448.tif 000005
【図４】
2004086448.tif 000006
【図５】
2004086448.tif 000007
【図６】
2004086448.tif 000008
【図７】
2004086448.tif 000009
【図８】
2004086448.tif 000010
【図９】
2004086448.tif 000011
【図１０】
2004086448.tif 000012
【図１１】
2004086448.tif 000013
【図１２】
2004086448.tif 000014
【図１３】
2004086448.tif 000015